(57)【要約】【課題】  新たな機構の付加をできるだけ避けて、筒状編地の境界部での編目の不揃いと割れの発生を防止することが可能な筒状編地編成用横編機を提供する。【解決手段】  ジャックガイドカム２５は、逆方向２３Ｒでジャック１３の駆動バット１３ａが通過する通過経路２３ＲＨ，２３ＲＬに臨む。編針１１の戻し量にΔＬの差を生じさせるため、駆動バット１３ａの針溝からの突出量に高低の差を設け、ジャックガイドカム２５のカム板２ａの表面からの高さを中山カム３などよりも低くしておく。実線で示すように、ジャックガイドカム２５の上縁２５ａでは、高く突出する駆動バット１３ａのみ戻すようにし、破線で示すように、低く突出する駆動バット１３ａは戻さないで通過させる。【選択図】図１
2010242244.tif 000002
【特許請求の範囲】
【請求項１】
歯口を挟む前後に一対の針床が配置され、各針床には編針を収容して歯口に対して進退する方向の摺動移動を案内する針溝が並設され、
針溝の並設方向に往復移動するキャリッジに搭載され、針溝から突出する編針の駆動バットに対しては、針床毎にそれぞれ異なる順方向への移動時に編針を歯口に進出させた後で針床に退入させて、編目形成動作を行うように作用し、逆方向への移動時には編目形成動作を行わせないように作用して、前後の針床で編地を交互に編成しながら編幅の両端で連結して筒状に編成可能なカムシステムを備える筒状編地編成用横編機において、
各針床で編地の編成に使用する編幅内の編針を、駆動バットが針溝から突出するように選択し、突出する高さを、編幅の終端部分の編針では編幅内の他の編針よりも低くする選針システムと、
逆方向への移動時に針溝から突出する駆動バットが通過する経路に配置され、突出する高さに基づいて、終端部分の編針の駆動バットには作用しないで通過させ、他の編針は予め定める戻し量だけ歯口側に戻すように、駆動バットに作用する戻し用ガイドカムとを、
含むことを特徴とする筒状編地編成用横編機。
【請求項２】
前記編針には、前記駆動バットより前記歯口に近い位置にも歯口側バットが備えられ、
前記カムシステムには、前記逆方向への移動時に歯口側バットが通過する経路に臨むように設けられ、前記編幅の終端部分の編針の歯口側バットに作用して、前記戻し量よりも少ない量で該終端部分の編針を歯口側に戻す歯口側ガイドカムを含む、
ことを特徴とする請求項１記載の筒状編地編成用横編機。
【請求項３】
前記選針システムは、
前記各針床の尾端側に設けられ、前記編針の駆動バットを前記針溝から突出させるか否かを、外周面に設ける凹所に選針ピンを装着して凹所を塞ぐか否かで制御する選針ドラムを含み、
該選針ピンは、前記編幅内の編針の本数に対応する長さを有し、編幅の終端部分の編針に対応する部分で、該凹所を塞ぐ高さが編幅内の他の編針に対応する部分よりも低くなる形状を有する、
ことを特徴とする請求項１または２記載の筒状編地編成用横編機。
【発明の詳細な説明】
【技術分野】
【０００１】
本発明は、少なくとも一対の針床を備え、筒状に編地を編成する筒状編地編成用横編機に関する。
【背景技術】
【０００２】
従来から、少なくとも一対の針床を歯口で対向する状態で備える横編機では、靴下や手袋を、筒状の編地として編成可能であることが知られている（たとえば特許文献１参照）。靴下や手袋を専用に編成する横編機では、編成に使用する編針を、選針ドラムを用いて選択している（たとえば特許文献２参照）。
【０００３】
図６は、靴下や手袋の編成に使用する筒状編地編成用横編機１の概略的な構成を、主としてカムシステムについて示す。筒状編地編成用横編機１は、前針床と後針床とを有する。両針床には、往復走行して編針を選択的に駆動し、編成動作を行わせるためのキャリッジが設けられる。カムシステムは、キャリッジに搭載され、前後の針床に臨むカム板２ａ，２ｂに分けて複数のカムがそれぞれ配置される。各針床に臨むカム板２ａ，２ｂに配置されるカムは、ほぼ同等であり、対応する部分は同一の参照符を付して示す。カムの配置は、カム板２ａ，２ｂの裏面側から透視した状態で示す。両方に配置される主要なカムとしては、中山カム３、ニードルレイジングカム４、度山カム５、天山カム６、プレッシャーカム７、ニードルガイドカム８、および出没可能なゴム山カム９が設けられる。二つの針床の中間には、歯口１０が形成される。歯口１０の両側で対向する二つの針床は、歯口１０側が高く、歯口１０から離れる側が低くなるように傾斜しているけれども、説明の便宜上、傾斜していない状態で示す。
【０００４】
各針床には、図では上下となる方向に、針溝が形成される。針溝は、図の左右の方向に並設され、各針溝には編針１１が歯口１０に対して進退する摺動変位が可能な状態で収容される。図の左側には、編針１１を側方から見た部分的な構成として示す。編針１１は、針本体１２とジャック１３とを含む。歯口１０側の針本体１２は、針溝からキャリッジ側に突出する歯口側バット１２ａと、歯口１０に進退して編成動作を行うフック１２ｂおよびラッチ１２ｃとを有する。ジャック１３は、針溝からキャリッジ側に出没する駆動バット１３ａを有する。
【０００５】
靴下や手袋を編成する筒状編地編成用横編機１では、編糸を一定の方向、たとえば図の時計回り方向に給糸して編地を筒状に編成する。この場合、キャリッジが図の右方に走行すると、後針床では順方向となり、前針床では逆方向となる。編針１１としての編目形成動作は、後針床側では、順方向１３ａＦとして示すように、駆動バット１３ａを中山カム３、ニードルレイジングカム４、度山カム５で、通過経路１３ａＦＴに沿うように案内して行わせる。歯口側バット１２ａの順方向１２ａＦは、通過経路１２ａＦＴを描く。ゴム山カム９を作用させれば、破線で示すように、中山カム３よりも先行して編針１１を歯口１０に進出させ、ゴム糸と呼ばれる弾性糸を挿入することができる。なお、歯口側バット１２ａが突出する高さには高低差を設け、低い歯口側バット１２ａにはゴム山カム９が突出しても作用しないようにすれば、ゴム糸を挿入する編針１１を選択することができる。
【０００６】
前針床側では、歯口側バット１２ａおよび駆動バット１３ａは、逆方向１２ａＲ，１３ａＲの通過経路１２ａＲＴ，１３ａＲＴに沿うように移動する。前針床側には、編出し時に突出させる出没可能な編出し用カム１４が設けられるけれども、筒状編地の編成時には没入させておく。天山カム６の上縁６ａでは、歯口側バット１２ａをΔＬだけ歯口１０側に戻す。
【０００７】
このように、一方、たとえば後針床側のキャリッジが順方向で編目を形成し、他方、たとえば前針床側のキャリッジが逆方向で編針１１の戻しを行う。キャリッジが走行方向を反転すると、一方のキャリッジが逆方向で編針１１の戻しを行い、他方のキャリッジが順方向で編目を形成する。順方向１３ａＦでの駆動の最後に、駆動バット１３ａは度山カム５で歯口１０から離れる方向に引込まれる。編針１１を引込んでいる状態では、形成された編目を係止するフック１２ｂも歯口１０から離れて針床側の針溝内に引込まれる。歯口１０では、既に編成された編地を下方に引下げることで、編針１１のフック１２ｂに係止する編目に下方への張力を加え、新たな編地を編みやすくする。フック１２ｂが針床側に引込まれていると、歯口１０で編地を下方に引下げても、フック１２ｂに係止する編目に加わる張力の方向は針溝の底面に沿う方向となって下方には向わない。このため、逆方向１２ａＦでの編成時に、天山カム６の上縁６ａで歯口側バット１２ａを戻し、フック１２ｂを歯口１０に近づけて、編地がフック１２ｂから歯口１０に垂れ下がりやすくなるようにしている。
【先行技術文献】
【特許文献】
【０００８】
【特許文献１】特許第２６３１９２３号公報
【特許文献２】特開平１０−７７５５７号公報
【発明の概要】
【発明が解決しようとする課題】
【０００９】
筒状編地編成用横編機１で筒状編地を編成する際に、編成を終了した順方向側の針床で編幅の終端となる編針１１または終端寄りの部分の編針１１に係止されている編目は端目となる。端目は、キャリッジが反転して、対向する針床で順方向となる編成開始で、編糸が引出され、編目の大きさが小さくなってしまうおそれがある。特許文献１では、対向する針床側から編糸が引かれても、編針１１が歯口１０側に進出しないように規制する編針進出防止手段を設けるようにしている。
【００１０】
端目が小さくなると、歯口１０を挟んで対向する針床で編成する編地を連結する境界部で、端目の詰んだ編目と編目間の間隔の増大とで編目の大きさが揃わなくなり、割れが発生して外観を損う問題が生じる。しかしながら、特許文献１のような編針進出防止手段を設けることは、新たな機構を付加する必要を生じる。
【００１１】
本発明の目的は、新たな機構の付加をできるだけ避けて、筒状編地の境界部での編目の不揃いと割れの発生を防止することが可能な筒状編地編成用横編機を提供することである。
【課題を解決するための手段】
【００１２】
本発明は、歯口を挟む前後に一対の針床が配置され、各針床には編針を収容して歯口に対して進退する方向の摺動移動を案内する針溝が並設され、
針溝の並設方向に往復移動するキャリッジに搭載され、針溝から突出する編針の駆動バットに対しては、針床毎にそれぞれ異なる順方向への移動時に編針を歯口に進出させた後で針床に退入させて、編目形成動作を行うように作用し、逆方向への移動時には編目形成動作を行わせないように作用して、前後の針床で編地を交互に編成しながら編幅の両端で連結して筒状に編成可能なカムシステムを備える筒状編地編成用横編機において、
各針床で編地の編成に使用する編幅内の編針を、駆動バットが針溝から突出するように選択し、突出する高さを、編幅の終端部分の編針では編幅内の他の編針よりも低くする選針システムと、
逆方向への移動時に針溝から突出する駆動バットが通過する経路に配置され、突出する高さに基づいて、終端部分の編針の駆動バットには作用しないで通過させ、他の編針は予め定める戻し量だけ歯口側に戻すように、駆動バットに作用する戻し用ガイドカムとを、
含むことを特徴とする筒状編地編成用横編機である。
【００１３】
また本発明で、前記編針には、前記駆動バットより前記歯口に近い位置にも歯口側バットが備えられ、
前記カムシステムには、前記逆方向への移動時に歯口側バットが通過する経路に臨むように設けられ、前記編幅の終端部分の編針の歯口側バットに作用して、前記戻し量よりも少ない量で該終端部分の編針を歯口側に戻す歯口側ガイドカムを含む、
ことを特徴とする。
【００１４】
また本発明で、前記選針システムは、
前記各針床の尾端側に設けられ、前記編針の駆動バットを前記針溝から突出させるか否かを、外周面に設ける凹所に選針ピンを装着して凹所を塞ぐか否かで制御する選針ドラムを含み、
該選針ピンは、前記編幅内の編針の本数に対応する長さを有し、編幅の終端部分の編針に対応する部分で、該凹所を塞ぐ高さが編幅内の他の編針に対応する部分よりも低くなる形状を有する、
ことを特徴とする。
【発明の効果】
【００１５】
本発明によれば、キャリッジに搭載されるカムシステムで、各針床の針溝に収容される編針の駆動バットを選択的に駆動する。選針システムによって駆動バットが針溝から突出するように選択されている編針に対しては、針床毎でそれぞれ異なる方向となる順方向への移動時に編目形成動作を行わせ、逆方向への移動時に編目形成動作を行わせない。各針床で編成される編地は、編幅の両端で連結されて筒状となる。選針システムは、編幅の終端部分の編針の駆動バットが針溝から突出する高さを、編幅内の他の編針よりも低くする。キャリッジには、戻し用ガイドカムも搭載される。戻し用ガイドカムは、逆方向への移動時に駆動バットが通過する経路に配置される。戻し用ガイドカムは、針溝から駆動バットが突出する高さに基づいて、編幅の終端部分の編針の駆動バットには作用しないで通過させ、他の編針の駆動バットには作用して、歯口側に予め定める戻し量だけ戻す。端目を係止する編幅の終端部分の編針は、戻し用ガイドカムの作用で歯口側に戻さなくても、対向する針床での編目形成時に歯口側に引出されて歯口側に戻る。すなわち、端目を係止する編針は、対向する針床での編目形成時に歯口側に引き出されることを見込んで、戻し用ガイドカムでは歯口側に戻さないでおく。端目を係止する編針は対向する針床での編目形成で歯口側に引出され、編幅内の他の編針は戻し用ガイドカムで歯口側に戻されて、編幅内の編針が係止する編目の大きさも揃うようになるので、筒状編地の編目の不揃いを避けて、境界部での割れの発生を防止することができる。選針システムは、編幅の終端部分となる編針に対して、駆動バットが針溝から突出する高さを低くすればよいので、新たな機構の付加をできるだけ避けることができる。
【００１６】
また本発明によれば、終端部分の編針も、他の部分の編針よりも少ない戻し量で歯口側に戻す。端目が対向する針床側に引かれて戻る量が少ない場合でも、端目を係止する編針を編幅内の他の編針と同等に歯口側に戻して、編成された編地を歯口から下げやすくすることができる。
【００１７】
また本発明によれば、選針ドラムに装着する選針ピンの形状を変えるだけで、編幅の終端部分で端目を係止する編針の駆動バットが針溝から突出する高さを、編幅内の他の編針よりも低くすることができる。
【図面の簡単な説明】
【００１８】
【図１】図１は、本発明の実施例１としての筒状編地編成用横編機２１に使用するカムシステムでのカム配置を示す透視図である。
【図２】図２は、図１の筒状編地編成用横編機２１で、編針１１の戻し量にΔＬの差を設ける構成を示す図である。
【図３】図３は、図１の筒状編地編成用横編機２１で、編針１１が選針されている状態を示す簡略化した側面断面図である。
【図４】図４は、図１の筒状編地編成用横編機２１で、端目を係止する編針１１が選針される状態での駆動バット１３ａの突出高さと、選針されない編針１１の状態とを示す簡略化した側面断面図である。
【図５】図５は、本発明の実施例２としての筒状編地編成用横編機６１に使用するカムシステムでのカム配置を示す透視図である。
【図６】図６は、従来からの筒状編地編成用横編機１に使用するカムシステムでのカム配置を示す透視図である。
【発明を実施するための形態】
【００１９】
以下、本発明の実施の形態の構成について説明する。実施の形態で、図６について説明した部分と対応する部分については、同一の参照符を付して、重複する説明を省略する。本発明では、筒状編地を編成する際に、編幅の終了側の端目が対向する針床での編成開始時に引かれて、編幅内の他の編目よりも小さくなることを防止するために、端目を係止する編針１１は逆方向での戻しを行わないか、戻し量が他の編針１１よりも小さくなるように、差を設ける。なお、各針床やカムシステムに関しては、針溝の底面を基準に高低の記載を行い、歯口に近づく方向を上、歯口から離れる方向を下として記載する。
【実施例１】
【００２０】
図１は、本発明の実施例１としての筒状編地編成用横編機２１に使用するカムシステムの概略的な構成を透視状態で示す。説明の便宜上、一方側、たとえば前針床側のカム板２ａについて、歯口側バット１２ａおよび駆動バット１３ａの順方向１２ａＦ，１３ａＦの通過経路１２ａＦＴ，１３ａＦＴと、逆方向２２Ｒ，２３Ｒの通過経路２２ＲＨ，２２ＲＬ；２３ＲＨ，２３ＲＬとを、同時に示す。
【００２１】
筒状編地編成用横編機２１では、中山カム３よりも歯口１０から離れる側に、本発明の戻し用カムとして、ジャックガイドカム２５を設ける。ジャックガイドカム２５は、逆方向２３Ｒでジャック１３の駆動バット１３ａが通過する通過経路２３ＲＨ，２３ＲＬに臨むように配置される。通過経路２３ＲＨ，２３ＲＬには、ジャックガイドカム２５の通過後に、編針１１の戻し量にΔＬの差が生じる。この差を生じさせるため、駆動バット１３ａの針溝からの突出量に高低の差を設け、ジャックガイドカム２５のカム板２ａの表面からの高さを中山カム３などよりも低くしておく。実線で示すように、ジャックガイドカム２５の上縁２５ａでは、高く突出する駆動バット１３ａのみ戻すようにし、破線で示すように、低く突出する駆動バット１３ａは戻さないで通過させる。なお、図６の天山カム６の上縁６ａは戻し量ΔＬに対応して歯口１０側へ進出しているけれども、図１の天山カム２６の上縁２６ａは進出していない。駆動バット１３ａの逆方向２３Ｒでの突出量の高低に応じる通過経路２３ＲＨ，２３ＲＬが定まると、歯口側バット１２ａの逆方向２２Ｒでの通過経路２２ＲＨ，２２ＲＬもそれぞれ定まる。
【００２２】
図２は、筒状編地編成用横編機２１で端目を係止する編針と他の編針とで、ジャックガイドカム２５による戻し量に差を設ける状態を示す。（ａ）は、端目付近の編成状態を模式的に示す。（ｂ）は、選針のための構成を示す。
【００２３】
（ａ）では、歯口の中心１０ａを挟んで一方側、たとえば前針床側の編地を編幅の終端まで編成し、後針床側の編地の編幅の始端から編成を開始する直前の状態を示す。後針床側で、始端の編針１１ａから他の編針１１ｂに順次編目を形成するために、図１のカムシステムでは、順方向１２ａＦ，１３ａＦに歯口側バット１２ａおよび駆動バット１３ａの案内が行われる。前針床側では、図１の逆方向２２Ｒ，２３Ｒに歯口側バット１２ａおよび駆動バット１３ａをそれぞれ案内する。終端の編針１１ｃに対しては通過経路２２ＲＬ，２３ＲＬに沿って戻しを行わず、他の編針１１ｂに対しては通過経路２２ＲＨ，２３ＲＨに沿ってΔＬの戻しを行う。前針床側では、順方向１２ａＦ，１３ａＦへの編成で、駆動バット１３ａが度山カム５で引込まれ、給糸口３０から供給される編糸３１で編目３２および端目３３が形成される。終端の編針１１ｃで形成する編目である端目３３は、後針床の始端の編針１１ａで編目を形成する際に編糸３１が引込まれ、編針１１ｃが歯口側に引出される位置に応じて小さくなる。端目３３が引かれて編針１１ｃがΔＬだけ歯口側に引出されることを予め見込むことができる場合、編針１１ｃは戻さない。他の編針１１ｂは、ジャックガイドカム２５で戻し量ΔＬだけ戻して破線で示す状態にする。このように、端目３３が引かれることを予め見込んで、他の編目３２の戻し量と差ΔＬを設けておくので、後針床での編成後、前針床の編針１１ｂ，１１ｃで係止する編目の大きさを揃えることができる。
【００２４】
（ｂ）では、特許文献２に開示されるような選針機構での選針に用いる選針ピン３５を加工し、選針ドラム３６を使用して戻し量の差ΔＬを生じさせる選針システムの構成を示す。通常、選針ピンは、各針床で編成に使用する編針１１ａ，１１ｂ，１１ｃの本数に対応する長さで一様な径を有し、選針ドラム３６に装着して用いられる。選針ピン３５の加工は、端目３３を形成する編針１１ｃの位置に対応して、選針作用を行う径に差ΔＤが生じる欠如部３５ａを設けるようにして行う。なお、本実施例では編幅の終端部分で端目３３を１本の編針１１ｃで係止しているけれども、欠如部３５ａを長くすれば、編針１１ｃの本数を、２〜３本など、複数本にすることもできる。
【００２５】
図３および図４は、図２の選針ピン３５および選針ドラム３６を用いる選針の状態を示す。図３は、選針ピン３５で欠如部３５ａではない部分が作用する選針状態を示す。選針状態は、欠如部３５ａが設けられていない選針ピン３７が作用する場合と同等である。図４は、（ａ）で選針ピン３５の欠如部３５ａが作用する選針状態、（ｂ）で選針ピン３５、３７が装着されていない非選針状態をそれぞれ示す。編針１１のジャック１３の尾端部１３ｂは、制御ジャック３８に係合し、選針ピン３５，３７および選針ドラム３６による選針状態に応じて制御される。
【００２６】
針床４０は、ベース板４１に、複数のニードルプレート４２が紙面に垂直な方向に間隔をあけて立設されて形成される。ニードルプレート４２間には、針溝が形成され、各針溝には編針１１が収容される。針溝からは、針本体１２の歯口側バット１２ａが突出し、ジャック１３の駆動バット１３ａは、選針システムで選針されていれば突出する。歯口側バット１２ａおよび駆動バット１３ａが突出する表面側には、図１に示すキャリッジのカム板２ａが臨む。ニードルプレート４２の端部は、ニードルプレート支持板４３で支持される。紙面に垂直な方向には、ワイヤ４４，４５，４６が挿通され、ニードルプレート４２の位置決めが行われる。編針１１が針溝から離脱しないように、針溝のキャリッジ側表面には、帯金４７，４８が装着される。
【００２７】
制御ジャック３８は、紙面に垂直な方向に延びる支持シャフト４９の周りに揺動変位可能となっている。ジャック１３の尾端部１３ｂは、押下げ部３８ａと押上げ部３８ｂとで挟まれる。制御ジャック３８が支持シャフト４９で支持される部分は、制御ジャック押え板５０で押えられ、選針ドラム３６との間には、制御ジャックガイド５１が介在する。制御ジャック３８には、選針ピン３５，３７と当接する当接部３８ｃと、制御ジャック３８が支持シャフト４９を中心として反時計回り方向に変位するように付勢するばね部３８ｄも設けられる。
【００２８】
図３に示すように制御ジャック３８の当接部３８ｃが選針ピン３５で欠如部３５ａとは異なる部分に当接している状態、または当接部３８ｃが選針ピン３７に当接している状態では、駆動バット１３ａが針溝から突出して選針状態となる。図４（ａ）に示すように、制御ジャック３８の当接部３８ｃが選針ピン３５の欠如部３５ａに当接すると、駆動バット１３ａの針溝からの突出高さが図３に比較してΔＨだけ低くなる。この高低差ΔＨに応じて、図１のジャックガイドカム２５での通過経路２３ＲＨ，２３ＲＬが切換えられ、図２に示す戻し量の差ΔＬを生じさせることができる。図４（ｂ）では、駆動バット１３ａが針溝から突出しないので、カムシステムの作用を受けない。なお、編針１１の針本体１２からの歯口側バット１２ａは、常に針溝から突出する。ただし、歯口側バット１２ａの突出高さを高低２種類設け、たとえば突出高さの高低を編針１１毎に交互に配置すれば、ゴム山カム９を突出させても、作用と不作用とを切換えて、ゴム糸の挿入を編針１１の１本おきに行うことができる。
【実施例２】
【００２９】
図５は、本発明の実施例２としての筒状編地編成用横編機６１に使用するカムシステムの概略的な構成を透視状態で示す。図５で図１に対応する部分には同一の参照符を付して、重複する説明を省略する。実施例２でも、駆動バット１３ａの逆方向６３Ｒの通過経路６３ＲＨ，６３ＲＬを分けるのは、駆動バット１３ａの突出高さの高低差による。図４（ａ）のように駆動バット１３ａの突出高さが低い状態では、ジャックガイドカム２５は通過しても、歯口側バット１２ａの逆方向６２Ｒの通過経路６２ＲＬに本発明の歯口側ガイドカムとなる天山カム６６の上縁６６ａが作用して、ΔＭだけ戻すようにする。駆動バット１３ａの突出高さが高い状態では、図１に示すように、駆動バット１３ａはジャックガイドカム２５でΔＬだけ戻される。ΔＬ＞ΔＭとしておけば、上縁６６ａは実線で示す通過経路６２ＲＨには影響しない。実施例２では、図２の端目３３を係止する終端の編針１１ｃでも戻しを行うので、対向する針床での始端の編針１１ａへの引出しによる戻し量が少なくても、他の編針と同等に戻すことができる。すなわち、編針１１ｃを引出すだけでは戻し量がΔＭ少なくても、戻し量ΔＭを加えて、編針１１ｃを他の編針１１ｂと同等にΔＬまで戻して、編みやすくし、境界部での編目の大きさを揃えることができる。
【００３０】
以上のような本発明の実施例２でも、図３および図４に示すような選針システムを使用することができる。選針ドラム３６を使用する選針システムでは、選針ドラムが角変位すると、異なる選針ピン３５，３７に切換えることができ、手袋の指袋などを順次筒状編地として編成する場合に、端目３３の位置を変えて、編目の大きさが揃う編地を編成することができる。  
【符号の説明】
【００３１】
１１  編針
１２  針本体
１２ａ  歯口側バット
１３  ジャック
１３ａ  駆動バット
２１，６１  筒状編地編成用横編機
１２ａＦ，１３ａＦ  順方向
２２Ｒ，２３Ｒ，６２Ｒ，６３Ｒ  逆方向
２２ＲＨ，２２ＲＬ，２３ＲＨ，２３ＲＬ，６２ＲＨ，６２ＲＬ，６３ＲＨ，６３ＲＬ  通過経路
２５  ジャックガイドカム  
２６，６６  天山カム
３５，３７  選針ピン
３５ａ  欠如部
３８  制御ジャック
【図１】
2010242244.tif 000003
【図２】
2010242244.tif 000004
【図３】
2010242244.tif 000005
【図４】
2010242244.tif 000006
【図５】
2010242244.tif 000007
【図６】
2010242244.tif 000008